(57)【要約】【課題】  この考案は折りたたみ用テーブルの連結具のカバーに関し、従来露出している連結金具のために手足に生じさせていた擦過傷などの防止機能を付与したカバーに関する。【解決手段】  カバー全体を合成樹脂などの柔軟性材料で形成し、このベローズの断面形状をコ字状の一方を開口させこの開口を介してベローズ内に連結具を格納できるように形成したものである。【選択図】図６
0003122645.tif 000002
【実用新案登録請求の範囲】
【請求項１】
テーブル面板に固定される固定側支持体を天板に固定して、天板に対して脚を開閉して折りたたみみできるようにしたテーブル用折りたたみ脚の折りたたみ連結部分を被覆するカバーであって、複数個の突枠と凹枠を連接し断面形状の一方を開口してベローズとして構成したことを特徴とするテーブル用折りたたみ脚における折りたたみ連結部のカバー。
【請求項２】
請求項１記載のカバーにおいて、カバーを形成する突枠および凹枠のベローズがいずれも少なくとも長手方向への伸張と縮小とを行えることを特徴とするテーブル用折りたたみ脚における折りたたみ連結部のカバー。
【考案の詳細な説明】
【技術分野】
【０００１】  この考案はテーブル用折りたたみ脚における折りたたみ連結部のカバーに関し、具体的には前記した折りたたみ連結部にカバーをかぶせることでテーブルに手足を出し入れる際、前記金具に無意識に接触または衝突して生ずる手足に及ぼす痛さとか打撲傷を生じさせないための連結部のカバーに係る。
【背景技術】
【０００２】  従来のテーブル用折りたたみ脚の連結部分は金属金具のみで形成されており、しかも金属金具全体はむき出し状でテーブルの天板と脚との間に設けられていた。
【考案が解決しようとする課題】
【０００３】  この考案は天板と折りたたみ脚間に設けられているむき出しの金属性連結部分に対してこの表面をカバーで被覆することで手足に対する擦過傷などを防止しようとするものである。
【考案の開示】
【課題を解決するための手段】
【０００４】  金属製連結部分のカバーは全体を合成樹脂材料で形成し、前記した連結部分全体を包み込む大きさとし連結部の折りたたみ時の伸縮に対応できるように伸縮性を備えたベローズとして形成されている。
【考案実施の形態】
【０００５】  この考案に適用されるテーブル用折りたたみ脚の連結部分を説明すれば次のとおりである。
図１において、符号１０で示すテーブルは天板１と脚本体２とを連結部分３を介して結合されており、連結部分３は天板側に固定する天板金具４とで形成されており、その連結部分３と脚本体２は軸６を中心にして回転可能に形成されており、図２に示すようにこの連結部分３によって連結されている天板１と脚本体２はいずれも軸６を中心にして回転できるので天板１に対して脚本体２を閉脚できるものである。
【０００６】  図１に示すようにテーブル１０として機能させる場合には脚本体２を開脚させるが、この開脚状態を維持するために脚本体２に設けたロック杵５を連結部分３の停止孔４３にまた閉脚状態（折りたたみ状態）を維持するために連結部分３の停止孔４４にそれぞれ係合してロックしている。
図３および４を用いて天板金具と脚金具の構造を説明すれば次のとおりである。
図３および同図Ｉ−Ｉ線断面図で示したように、連結部３は天板金具４とで形成されており、脚本体２は連結部分の両側板を連結部３の両側板で抱持状に維持し、しかも対象位置に設けた軸６によって回転できるように結合されている。
【０００７】特にＩ−Ｉ断面図が明らかなように、ロック軸７２の端部７２’を浮動状に係止しているロック杵５が前記したロック軸７２を脚金具の一方の側板５２に形成した長溝５３および天板金具の一方の側板４２を貫通するように取り付けられており、しかも前記ロック杵５は一端を固定部５５に多端をロック軸にそれぞれの端部を固定して調節されているばね７３によって天板方向に引き上げられるように取り付けられている。またこのロック杵６には押部７１が自由端に形成されている。
【０００８】  なおＩ−Ｉ線断面図におけるロック軸７２は図４および同図ＩＩ−ＩＩ線断面図で示すように天板金具およびこれに重なり合っている長溝５３のそれぞれの溝内にある場合を示したもので、この状態は前記量金具に固定されている天板１と脚本体２とが開脚上に維持されテーブルとして機能する場合を示している。
【０００９】  またロック軸７２は特にＩＩ−ＩＩ線断面図で明らかなように常態において、ばね７３によって天板金具方向に引き上げられるように（上方）付勢されているがロック杵の押部７１を反付勢奉公（下方）に押下げることで切欠溝４３に嵌入しているロック軸７２をこの切欠溝を離脱させる。
【００１０】  次に図４における脚本体２は軸６を中心にして内側に回動する。（矢印参照）
こうすることによって切欠溝４３より離脱したロック軸７２は図２に示すように脚２の回動に従って軸表面を天板金具の一方の側板４２の周面に当接させながら移動する。
次いでこのロック軸７２は脚本体２が折りたたみの最終位置に到達した段階で図９に示すように次の切欠溝４４内に嵌入し、それ以後の脚本体２の回動を阻止する。
なお前記した折りたたみ脚を開脚させる場合にはロック杵の押部を押し下げて脚２を開脚方向に回転すれば最終段階で前記ロック軸が切欠溝４３に嵌着することでテーブルを形成することが出来る。
【００１１】  この考案に係るカバーが符号８０として図６、７に示されている。
同図で明らかなように、カバー８０は合成樹脂製で全体が蛇腹（ベローズ）として形成されている。
図６、図７および同図ＩＩＩ−ＩＩＩ線断面図で明らかなように、カバー８０は複数個の突枠８１と凹枠８２とを連接してベローズとして形成されており、特に図６にＩＩＩ−ＩＩＩ線断面図で明らかなように一方を開口８３した断面コ字状に形成されている。
このように形成されたカバー８０は長手方向、上下方向および左右方向への伸縮を自由に行える機能を備えている。
なお符号８４は天板および脚への取付部であり８５は取り付け用通孔を示す。
【実施例】
【００１２】  この考案の実施例を図８および図９により説明すれば次のとおりである。
図８は脚本体２を開脚してテーブルとして使用する場合のカバー８０の実施態様を示したものである。
両端の取付部８４を天板金具４と脚本体３のそれぞれにネジで取り付けたカバー８０は開口８３を介して連結部３の折りたたみ部分をベローズ内に格納し、連結具３の折りたたみ部分を被覆している。
この状態におけるカバー８０は突枠８１および凹枠８２の背部は容易に伸張し内側の開口部は容易に縮小するのでベローズ全体の横方向への変化を生ずることはない。【００１３】  図９は天板１に対して脚２を閉脚（おりたたみ）した場合のカバー８０の形態を示したもので突枠８１と凹枠８２の数個のベローズ部が拡大状に伸張して他のベローズ部の背面の重ねあわせを容易にしている。【００１４】  この考案は上記実施例に限定されるものでなく、カバーの形成材料としては合成樹脂に限定されるものでなく他の柔軟材料も任意に選択使用できるものであり、またカバー形状についてはベローズ構造に限定されるものでなく、一方を開口した形状のものであり、かつ柔軟性を備えた材料を選択して使用できるものである。また、この考案のカバーは上記した連結具に限定さえるものでなく、他の構造の折りたたみ連結具に対して適用できるものである。
【考案の効果】
【００１５】  この考案は連結具にカバーを施すことによって、テーブルとして使用する際、足などに対して擦過傷などを生じさせることがなく、特に幼児や子供などが頭からテーブルにもぐりこんだ場合に連結具により派生していた身体への損傷を防止できるものである。
【図面の簡単な説明】
【００１６】
【図１】テーブルとして機能している状態の説明図である。
【図２】脚を折りたたんだ場合の説明図である。
【図３】脚全体の平面図である。
【図４】脚本体の開脚時のロック状態の説明図である。
【図５】ロック軸に係る連結具の説明図である。
【図６】カバーの側面からの要部断面正面図である。
【図７】カバーの上方からの要部断面正面図である。
【図８】開脚した連結部にカバーを取り付けた場合の説明図である。
【図９】閉脚した連結部にカバーを取り付けた場合の説明図である。
【符号の説明】
【００１７】１  天板
２  脚本体
３  連結部
４  天板金具
５  ロック軸
７  ロック杵
１０  テーブル
８０  カバー
８１  突枠
８２  凹枠
８３  開口
８４  取付部
【図１】
0003122645.tif 000003
【図２】
0003122645.tif 000004
【図３】
0003122645.tif 000005
【図４】
0003122645.tif 000006
【図５】
0003122645.tif 000007
【図６】
0003122645.tif 000008
【図７】
0003122645.tif 000009
【図８】
0003122645.tif 000010
【図９】
0003122645.tif 000011